(57)【要約】      （修正有）【課題】使用者の苦痛を減らすことができ、目的に合わせてカフを変える必要がなく、効率よく安全に筋力トレーニングや駆血治療に使用することができるカフを提供する。【解決手段】カフは、並べた幅が違う３本のベルトが有する加圧部の中で、一番幅の狭い加圧部に接続するポンプ３３ａ、ｂを切り替えることで、駆血治療を行う場合の脈動検知用カフと、筋力トレーニングを行う場合の多連カフの機能を有し、圧迫しない範囲を作ることで、過剰な圧力が掛かった場合に圧力を分散する。【選択図】図３
0003223412.tif 000002
【実用新案登録請求の範囲】
【請求項１】
駆血治療方法を行う場合の脈動検知用カフと、筋力トレーニング方法を行う場合の多連カフの機能を有するカフ。
【請求項２】
圧迫しない範囲を作ることで、過剰な圧力が掛かった場合に圧力を分散する機能を有するカフ。
【考案の詳細な説明】
【技術分野】
【０００１】本考案は、上腕部および大腿部などの部位にカフを巻装して圧迫しながら行うトレーニング方法や駆血治療装置に用いるカフに関する。
【背景技術】
【０００２】従来の筋肉トレーニング方法として、下記特許文献１に開示されているように、四肢の筋肉の心臓に近い側に緊締ベルトで締め付けることにより、静脈還流を制限して筋肉に負荷を与えて、筋肉に疲労を生じさせる筋力トレーニング方法が知られている。【０００３】従来の駆血治療方法として、下記特許文献２に開示されているように、駆血する駆血用カフと、駆血状態を検知する脈動検知用カフと、空気タンクと、制御装置とを具備し、制御装置は、脈動検知用カフを加圧後に、脈動検知器により脈動を検知しなくなる迄、駆血用カフを加圧し、一定時間経過後に、脈動検知用カフおよび駆血用カフを排気して休息時間を設ける制御を複数回繰り返す方法が知られている。【０００４】また、筋肉トレーニング方法の緊締ベルトの替わりとして駆血治療方法のカフが利用される。【０００５】筋力トレーニング方法や駆血治療方法に使用するカフは、目的によって幅が違い、中には下記特許文献３に開示されているように、複数本のカフを平行に配列して連通させ幅広く均等に圧迫する多連カフもある。
【先行技術文献】
【特許文献】
【０００６】
【特許文献１】特許第２６７０４２１号公報
【特許文献２】特許第６１４３３０１号公報
【特許文献３】特許第６１０９１３８号公報
【考案の概要】
【考案が解決しようとする課題】
【０００７】幅の狭いカフで、静脈還流を制限できるまで締め付けると苦痛を感じ使用を中止することがあるので、幅の広いカフを使用する必要がある。【０００８】また、大腿部の付け根または上腕部の脇に近い部位の全周を加圧した状態で運動すると、外側大腿皮神経または内側前腕皮神経が圧迫されて痛くなるため、トレーニングが満足にできないことがあるので、多連カフを使用する必要がある。【０００９】脈動検知用カフにおいては、駆血用カフより心臓から離して圧迫する必要があり、間違って心臓に近い側に取り付けると駆血用カフが締まりすぎてしまい、苦痛を感じることがある。【００１０】そのため、従来のカフにおいては、目的に合わせて、カフの太さやカフの数やカフの締め付ける位置を、交換する必要があるので、効率が悪く、間違って使用すると、使用者が苦痛を感じることがあった。【００１１】本考案は、上記の点に鑑みてなされたものであり、筋力トレーニング方法や駆血治療方法において、共通に使用することができるカフを提供する。
【課題を解決するための手段】
【００１２】本考案のカフは、ゴム製もしくはポリウレタン製の加圧部と、上記加圧部を包む布製カバーと、上記布製カバーの両端同士をそれぞれ固定してループを形成する固定手段と、上記加圧部に接続したゴム製もしくはポリウレタン製のチューブと、上記チューブの先端に接続する加圧ポンプを着脱するプラグから構成される。【００１３】また、上記加圧部の過剰な圧力を分散することにより使用者の苦痛を抑える機能を有する。【００１４】さらに、本考案のカフは、駆血する駆血用カフと、駆血状態を検知する脈動検知用カフの機能を有する。
【考案の効果】
【００１５】本考案のカフは、駆血用カフと脈動検知用カフの機能を有し、加圧部が過剰な圧力を分散することで使用者の苦痛を減らすことができる為、目的に合わせてカフを変える必要がなくなり、人的な間違いを無くすことで、効率よく安全に筋力トレーニング方法や駆血治療方法に使用することができる。
【図面の簡単な説明】
【００１６】
【図１】本考案のカフに用いる布製カバーを示す平面図、
【図２】本考案のカフに用いるゴム製もしくはポリウレタン製の加圧部を示す平面図、
【図３】本考案のカフを拡げた状態を示す平面図、
【図４】本考案のカフを大腿部に巻き付けた状態を示す実施形態の斜視図
【考案を実施するための形態】
【００１７】本考察のカフは、図３の平面図のとおり、幅が違う３本のベルトを並べた形状をしている。
【００１８】上記の幅が違う３本のベルトには、図２の平面図の示すゴム製もしくはポリウレタン製の加圧部を有しており、一番幅の狭い加圧部２１と、残りの加圧部２２ａ、２２ｂを一体成型した加圧部２２とを備えている。
【００１９】上記加圧部２１、２２は、図１の平面図に示す布製カバー１により、３本のベルトを並べた形状に配置し、各加圧部を覆いかぶせるように両端同士を固定してループを形成するためのマジックテープ（登録商標）のループ面１１ａ、１１ｂ、１１ｃとフック面１２ａ、１２ｂ、１２ｃとを備えている。
【００２０】上記加圧部２１、２２は、ゴム製もしくはポリウレタン製のチューブを接続する接続部２３ａ、２３ｂを備えている。また、接続部２３ａ、２３ｂはマジックテープ（登録商標）のループ面１１ａ、１１ｂ、１１ｃを避けて設置する。
【００２１】上記布製カバー１は上記接続部２３ａ、２３ｂを通す穴１３ａ、１３ｂを有する。
【００２２】本考察のカフは、図３の平面図の示すように、上記接続部２３ａ、２３ｂに接続したゴム製もしくはポリウレタン製のチューブ３１ａ、３１ｂと、上記チューブの先端に接続する加圧ポンプ３３ａ、３３ｂを着脱するプラグ３２ａ、３２ｂとを備えている。
【実施例】
【００２３】駆血治療方法を行う場合、上記のプラグ３２ａを、脈動検知用の加圧ポンプ３３ａへ接続することで、上記加圧部２１が脈動検知用カフの機能を有し、上記のプラグ３２ｂを、駆血用の加圧ポンプ３３ｂへ接続することで、上記加圧部２２が駆血用カフの機能を有する。【００２４】筋力トレーニング方法を行う場合、上記のプラグ３２ａを、駆血用の加圧ポンプ３３ｂへ接続することで、上記加圧部２１が駆血用カフとなり、上記加圧部２２と同じ圧力となることで多連カフの機能を有する。【００２５】また、上記加圧部２２は上記マジックテープ（登録商標）のループ面１１ａ、１１ｂ、１１ｃが覆い被さっている範囲が圧迫する範囲であり、固定手段部が覆い被さっていない範囲は加圧部が圧迫されていないため、上記の圧迫する範囲に比べて加圧部に自由度があり、過剰に圧力が掛かった場合に圧力が分散するため使用者の苦痛を抑えることができる。【００２６】使用時は、図４の斜視図のとおり、心臓に近い方に駆血部になるように巻き付ける。
【符号の説明】
【００２７】１  布製カバー
１１ａ、１１ｂ、１１ｃ  マジックテープ（登録商標）のループ面
１２ａ、１２ｂ、１２ｃ  マジックテープ（登録商標）のフック面
１３ａ、１３ｂ  加圧部のチューブ接続部を通す穴
２１  脈動検知用もしくは駆血用加圧部
２２  駆血用一体成型加圧部
２２ａ、２２ｂ  駆血用加圧部
２３ａ、２３ｂ  加圧部のチューブ接続部
３１ａ、３１ｂ  接続チューブ
３２ａ、３２ｂ  加圧ポンプの着脱プラグ
３３ａ  脈動検知用の加圧ポンプ
３３ｂ  駆血用の加圧ポンプ
【図１】
0003223412.tif 000003
【図２】
0003223412.tif 000004
【図３】
0003223412.tif 000005
【図４】
0003223412.tif 000006
【手続補正書】
【提出日】平成30年12月13日(2018.12.13)
【手続補正１】
【補正対象書類名】実用新案登録請求の範囲
【補正対象項目名】全文
【補正方法】変更
【補正の内容】
【実用新案登録請求の範囲】
【請求項１】
並べた幅が違う３本のベルトが有する加圧部の中で、一番幅の狭い加圧部に接続するポンプを切り替えることで、駆血治療方法を行う場合の脈動検知用カフと、筋力トレーニング方法を行う場合の多連カフの機能を有するカフ。
【請求項２】
圧迫しない範囲を作ることで、過剰な圧力が掛かった場合に圧力を分散する機能を有することを特徴とする請求項１に記載のカフ。
【手続補正書】
【提出日】平成31年2月7日(2019.2.7)
【手続補正１】
【補正対象書類名】実用新案登録請求の範囲
【補正対象項目名】全文
【補正方法】変更
【補正の内容】
【実用新案登録請求の範囲】
【請求項１】
幅が違う３本のベルトを並べた形状で、各ベルトの両端同士を固定してループを形成するマジックテープ（登録商標）のループ面とフック面とを備えている布製カバーと、上記ベルトの一番幅の狭いベルトには単独の加圧部と、上記ベルトの残り２本には一体成型した加圧部とを有し、各加圧部は、チューブと接続する接続部を備えており、接続したチューブ先端には加圧ポンプを着脱するプラグを備えていることで、大きさの違う２つのカフの機能を有するカフ。
【請求項２】
加圧部の圧迫したい範囲にマジックテープ（登録商標）のループ面を覆い被せ、圧迫させない範囲にマジックテープ（登録商標）のループ面を覆い被さないことで、過剰な圧力が掛かった場合に圧力を分散する機能をマジックテープ（登録商標）のループ面の範囲で制御する機能を有することを特徴とする請求項１に記載のカフ。
【手続補正書】
【提出日】平成31年4月4日(2019.4.4)
【手続補正１】
【補正対象書類名】実用新案登録請求の範囲
【補正対象項目名】全文
【補正方法】変更
【補正の内容】
【実用新案登録請求の範囲】
【請求項１】
幅が違う３本のベルトを並べた形状で、各ベルトの両端同士を固定してループを形成する面ファスナーのループ面とフック面とを備えている布製カバーと、上記ベルトの１番幅の狭いベルトには単独の加圧部と、上記ベルトの残り２本には一体成型した加圧部とを有し、各加圧部は、チューブと接続する接続部を備えており、接続したチューブ先端には加圧ポンプを着脱するプラグを備えていることで、大きさの違う２つのカフの機能を有するカフ。
【請求項２】
加圧部の圧迫したい範囲に面ファスナーのループ面を覆い被せ、圧迫させない範囲に面ファスナーのループ面を覆い被さないことで、過剰な圧力が掛かった場合に圧力を分散する機能を面ファスナーのループ面の範囲で制御する機能を有することを特徴とする請求項１に記載のカフ。